(57)【要約】  【課題】突然の電池切れで使用者が困らない投影装置を提供する。  【解決手段】プロジェクタ１０はバッテリー１０８の電圧を所定時間ごとにチェックし、バッテリー１０８の放電状態が「電池小」および「電池不足」のいずれかになるとバッテリー１０８の状態を示す電池アイコン（電池情報）を投影像に重ね合成する。「電池不足」の場合は電池アイコンを点滅させる。スライドショー投影が指示されると、検出されているバッテリー１０８の電圧に基づいて投影可能時間Ｒを推定し、この投影可能時間Ｒよりスライドショー投影の所要時間が長い場合にバッテリー１０８からの消費電流をＩnからＩsへ３０％セーブする。セーブ時の消費電流Ｉsに基づいて投影可能時間Ｒsを再度推定し、この投影可能時間Ｒsよりスライドショー投影の所要時間が長い場合に１コマ当たりの投影時間をｔnからｔsへ短縮することによってスライドショー投影の所要時間を投影可能時間Ｒsに収める。  【選択図】図３
2007078807.tif 000002
【特許請求の範囲】
【請求項１】
光学像を投影する投影手段と、
前記投影手段を駆動する電池の電圧を検出する電圧検出手段と、
前記電圧検出手段による検出電圧に基づいて投影像の態様を異ならせるように前記投影手段を制御する投影制御手段とを備えることを特徴とする投影装置。
【請求項２】
請求項１に記載の投影装置において、
前記投影制御手段は、前記検出電圧が所定値より低い場合、前記投影像に電池情報を含めるように前記投影手段を制御することを特徴とする投影装置。
【請求項３】
請求項１に記載の投影装置において、
前記投影制御手段は、前記検出電圧が所定値より低い場合、前記投影像の輝度を下げるように前記投影手段を制御することを特徴とする投影装置。
【請求項４】
請求項３に記載の投影装置において、
前記投影制御手段は、前記投影像の輝度低下を画像処理で補うように前記投影手段をさらに制御することを特徴とする投影装置。
【請求項５】
請求項１に記載の投影装置において、
前記投影制御手段は、前記検出電圧が所定値より低い場合、前記投影像をモノクロ像にするように前記投影手段を制御することを特徴とする投影装置。
【請求項６】
請求項１に記載の投影装置において、
前記投影制御手段は、前記検出電圧が所定値より低い場合、前記投影像を縮小するように前記投影手段を制御することを特徴とする投影装置。
【請求項７】
請求項６に記載の投影装置において、
前記投影制御手段は、前記縮小後の投影像とともに電池情報を投影するように前記投影手段を制御することを特徴とする投影装置。
【請求項８】
請求項１に記載の投影装置において、
前記電圧検出手段による検出電圧を用いて投影可能時間を推定する投影可能時間推定手段をさらに備え、
前記投影制御手段は、前記投影可能時間推定手段により推定された投影可能時間より前記投影手段による投影所要時間が長い場合、投影装置光源の消費電流を減じて前記投影像の輝度を下げるように前記投影手段を制御することを特徴とする投影装置。
【請求項９】
請求項８に記載の投影装置において、
前記投影可能時間推定手段は、前記消費電流を減少させた状態の投影可能時間を再度推定し、
前記投影制御手段は、前記投影可能時間推定手段により再度推定された投影可能時間より前記投影手段による投影所要時間が長い場合、前記投影手段に投影所要時間を短縮させることを特徴とする投影装置。
【発明の詳細な説明】
【技術分野】
【０００１】
本発明は、電池駆動される投影装置に関する。
【背景技術】
【０００２】
携帯電話機などの小型機器に投影機能を備えた電子機器が知られている（特許文献１参照）。特許文献１に記載のプロジェクタ付き携帯電話機は、通話者が通話しながら通話者自身の手のひらに情報を投影したり、通話しながら壁面に情報を投影したりする。
【０００３】
【特許文献１】特開２０００−２３６３７５号公報
【発明の開示】
【発明が解決しようとする課題】
【０００４】
特許文献１には、電池残量低下時の動作について開示されていない。
【課題を解決するための手段】
【０００５】
本発明による投影装置は、光学像を投影する投影手段と、投影手段を駆動する電池の電圧を検出する電圧検出手段と、電圧検出手段による検出電圧に基づいて投影像の態様を異ならせるように投影手段を制御する投影制御手段とを備えることを特徴とする。
請求項１に記載の投影装置において、投影制御手段は、検出電圧が所定値より低い場合、投影像に電池情報を含めるように投影手段を制御することもできる。
請求項１に記載の投影装置において、投影制御手段は、検出電圧が所定値より低い場合、投影像の輝度を下げるように投影手段を制御することもできる。
請求項３に記載の投影装置において、投影制御手段は、投影像の輝度低下を画像処理で補うように投影手段をさらに制御することもできる。
請求項１に記載の投影装置において、投影制御手段は、検出電圧が所定値より低い場合、投影像をモノクロ像にするように投影手段を制御することもできる。
請求項１に記載の投影装置において、投影制御手段は、検出電圧が所定値より低い場合、投影像を縮小するように投影手段を制御することもできる。
請求項６に記載の投影装置において、投影制御手段は、縮小後の投影像とともに電池情報を投影するように投影手段を制御することもできる。
請求項１に記載の投影装置はさらに、電圧検出手段による検出電圧を用いて投影可能時間を推定する投影可能時間推定手段を備えてもよく、この場合の投影制御手段は、投影可能時間推定手段により推定された投影可能時間より投影手段による投影所要時間が長い場合、投影装置光源の消費電流を減じて投影像の輝度を下げるように投影手段を制御することもできる。
請求項８に記載の投影装置において、投影可能時間推定手段は、消費電流を減少させた状態の投影可能時間を再度推定してもよい。この場合の投影制御手段は、投影可能時間推定手段により再度推定された投影可能時間より投影手段による投影所要時間が長い場合、投影手段に投影所要時間を短縮させることもできる。
【発明の効果】
【０００６】
本発明によれば、突然の電池切れで使用者が困らないようにした投影装置を提供できる。
【発明を実施するための最良の形態】
【０００７】
以下、図面を参照して本発明を実施するための最良の形態について説明する。図１は、本発明の一実施の形態による電池駆動型プロジェクタの三面図である。図１(a)は左側面図、図１(b)は平面図、図１(c)は正面図である。プロジェクタ１０は、制御部１と投射部２とを構成するそれぞれの筐体がヒンジ部３によって回動自在に支持されている。ヒンジ部３は、投射部２の長手方向において端部寄りに配設され、ヒンジ部３の回転軸は制御部１および投射部２の対向するそれぞれの筐体面と垂直である。ヒンジ部３には不図示のクリック機構が設けられており、制御部１および投射部２間の相対角θが、たとえば９０度の位置、１８０度の位置、および２７０度の位置でそれぞれクリック機構がはたらく。なお、ヒンジ部３は上述したクリック位置でなくても、任意の角度で支持可能に構成されている。制御部１には、不図示のストラップなどを装着可能なストラップ取り付け部材１５が備えられている。
【０００８】
図２は、ヒンジ部３が回動したプロジェクタ１０の３態様を例示する図である。図２(a)は、ヒンジ部３を回動軸として相対角θ＝９０度まで投射部２を回動させた図、図２(b)は、ヒンジ部３を回動軸として相対角θ＝１８０度まで投射部２を回動させた図、図２(c)は、ヒンジ部３を回動軸として相対角θ＝２７０度まで投射部２を回動させた図である。図２(a)〜図２(c)のそれぞれにおいて、光束Ｂは投射部２から発せられる投影ビームを表す。図２(a)、(b)の状態は、主に手持ちで使用される。また、図２(c)の状態は、手持ちおよび平面台に設置されて使用される。
【０００９】
プロジェクタ１０を平面上に載置してもプロジェクタ１０が図２(c)の態様の場合、プロジェクタ１０は面１ｂを下に載置されるため、操作部材１０３を操作可能になる。制御部１のサイズは投射部２のサイズより大きいので、回動されている投射部２が載置平面に接しなくてもプロジェクタ１０の姿勢が安定する。
【００１０】
図１において、制御部１には面１ａから延伸されたレンズカバー１１が設けられている。レンズカバー１１は、プロジェクタ１０が収納姿勢（相対角θ＝０度）にされた状態で投射部２の開口２１を覆い、投射部内部の投影レンズを保護する。レンズカバー１１は透明部材で構成されており、プロジェクタ１０が収納姿勢にされた状態でもレンズカバー１１を通して投影が可能である。なお、開口２１の位置は、投射部２の長手方向においてヒンジ部３と反対側に配設されるのが好ましい。
【００１１】
図３は、プロジェクタ１０の回路構成を説明するブロック図である。図３において、制御部１にはＣＰＵ１０１と、メモリ１０２と、操作部材１０３と、液晶表示器１０４と、スピーカ１０５と、外部インターフェイス（Ｉ／Ｆ）１０６と、電源回路１０７とが備えられ、バッテリー１０８、メモリカード２００および無線通信ユニット２１０がそれぞれ装着されている。
【００１２】
投射部２には投影レンズ１２１と、液晶パネル１２２と、ＬＥＤ光源１２３と、投射制御回路１２４と、レンズ駆動回路１２５と、姿勢センサ１３０とが備えられている。
【００１３】
コントローラであるＣＰＵ１０１は、制御プログラムに基づいて、プロジェクタ１０を構成する各部から入力される信号を用いて所定の演算を行うなどして、プロジェクタ１０の各部に対する制御信号を送出することにより、プロジェクタ１０の投影動作を制御する。なお、制御プログラムはＣＰＵ１０１内の不図示の不揮発性メモリに格納されている。ＣＰＵ１０１はさらに、プロジェクタ１０が投影する画像のデータに対する台形歪み補正（キーストン補正）を画像処理によって行う。
【００１４】
メモリ１０２はＣＰＵ１０１の作業用メモリとして使用される。操作部材１０３は、メインスイッチ、光源オン／オフスイッチなどを含み、各操作スイッチに対応する操作信号をＣＰＵ１０１へ送出する。
【００１５】
メモリカード２００は不揮発性メモリによって構成され、制御部１のカードスロット１４（図１）に着脱可能に構成されている。メモリカード２００は、ＣＰＵ１０１からの指令により映像・音声データなどのデータの書き込み、保存および読み出しが可能である。
【００１６】
無線通信ユニット２１０は制御部１に対して着脱可能に構成され、ＣＰＵ１０１の指令により外部機器との間でデータを送受信する。送受信するデータは、映像・音声データや、プロジェクタ１０に対する制御データである。
【００１７】
外部インターフェイス１０６は、ＣＰＵ１０１の指令により不図示のケーブルまたはクレードルを介して外部機器との間でデータを送受信する。送受信するデータは、映像・音声データや、プロジェクタ１０に対する制御データである。
【００１８】
スピーカー１０５は、ＣＰＵ１０１から出力された音声信号による音声を再生する。液晶表示器１０４は、ＣＰＵ１０１の指令によりテキストなどの情報を表示する。テキスト情報は、プロジェクタ１０の動作状態を示す情報や操作メニューなどである。
【００１９】
バッテリー１０８は充電可能な二次電池によって構成され、プロジェクタ１０内の各部へ電力を供給する。電源回路１０７はＤＣ／ＤＣ変換回路、充電回路、および電圧検出回路を含み、バッテリー１０８の電圧をプロジェクタ１０内の各部で必要な電圧に変換する他、バッテリー１０８の電圧が低く、残容量が低下している場合に外部インターフェイス（Ｉ／Ｆ）１０６を介して供給される充電用電流でバッテリー１０８を充電する。
【００２０】
開閉角度検出スイッチ１１０はヒンジ部３の回動角を検出し、制御部１および投射部２間の相対角θが０度（収納姿勢）にされたことを検出するとオフ信号をＣＰＵ１０１へ送出し、上記角度以外ではオン信号を送出する。
【００２１】
投射制御回路１２４は、ＣＰＵ１０１の指令により液晶パネル１２２、ＬＥＤ光源１２３およびレンズ駆動回路１２５をそれぞれ制御する。投射制御回路１２４は、ＣＰＵ１０１から出力されるＬＥＤ駆動信号に応じてＬＥＤ光源１２３に電流を供給する。ＬＥＤ光源１２３は、供給電流に応じた明るさで液晶パネル１２２を照明する。
【００２２】
投射制御回路１２４は、ＣＰＵ１０１から送信される画像データに応じて液晶パネル駆動信号を生成し、生成した駆動信号で液晶パネル１２２を駆動する。具体的には、液晶層に対して画像信号に応じた電圧を画素ごとに印加する。電圧が印加された液晶層は液晶分子の配列が変わり、当該液晶層の光の透過率が変化する。このように、画像信号に応じてＬＥＤ光源１２３からの光を変調することにより、液晶パネル１２２が光像を形成する。液晶パネル１２２は略正方形状の有効画素領域を有しており、縦横の有効画素数が同数に構成されている。
【００２３】
レンズ駆動回路１２５は、投射制御回路１２４から出力される制御信号に基づいて、投影レンズ１２１を光軸に対して直交する方向へ進退移動させる。投影レンズ１２１は、液晶パネル１２２から射出される光像をスクリーンなどへ向けて投影する。
【００２４】
姿勢センサ１３０は、投射部２の姿勢を検出し、検出信号を投射制御回路１２４を介してＣＰＵ１０１へ送出する。これによりＣＰＵ１０１は、プロジェクタ１０が収納姿勢の状態にあるか、図２(a)〜図２(c)のいずれの状態にされているかを判定する。
【００２５】
（投射像のオフセット）
ＣＰＵ１０１は、投影レンズ１２１を光軸に直交する向きにシフトさせることによって光束Ｂの射出方向を変え、投射像をオフセットさせる。ＣＰＵ１０１は、図２(a)の状態を判定した場合、光束Ｂの一部が制御部１の筐体でけられないように光束Ｂを面１ｂから離れる向きに射出させる。つまり、光束Ｂの上端が面１ｂの延長面より下に向くように投影レンズ１２１をシフトさせる。
【００２６】
ＣＰＵ１０１はまた、図２(c)の状態を判定した場合、光束Ｂの一部が載置平面でけられないように光束Ｂを面１ｂの延長面から離れる向きに射出させる。つまり、光束Ｂの下端が面１ｂの延長面より上に向くように投影レンズ１２１をシフトさせる。
【００２７】
ＣＰＵ１０１はさらに、図２(b)の状態を判定した場合には、面１ｂの延長面に対して直交する向きに光束Ｂを射出させるように投影レンズ１２１をシフトさせる。なお、収納姿勢の状態（図１）を判定した場合には、面１ａの延長面に対して直交する向きに光束Ｂを射出させるように投影レンズ１２１をシフトさせる。
【００２８】
投射像のオフセットは、投影レンズ１２１をシフトさせて行う他にも、液晶パネル１２２、ＬＥＤ光源１２３を光軸に対して垂直方向にシフトさせて行う構成としてもよい。すなわち、投影レンズ１２１と液晶パネル１２２の相対的位置関係を光軸に垂直な方向に変化させることで、投射像のオフセットを実現できる。
【００２９】
（投射像のキーストン補正）
投影レンズ１２１、液晶パネル１２２、ＬＥＤ光源１２３の一部を光軸に対して垂直方向にシフトさせる際には、そのシフト量に応じて投影するデータに対するキーストン補正を行う。投射像に上述したオフセットを与えるだけでは投射像が台形状に変化する。そこで、ＣＰＵ１０１は投射像を台形状から長方形状に補正するために画像処理による電気的なキーストン補正を施す。ＣＰＵ１０１内には、あらかじめ図２(a)〜図２(c)の各状態で投射像を方形状に補正するための初期補正値が記憶されている。ＣＰＵ１０１は、この初期補正値をもとに、投影する像のデータに対してメモリ１０２上でキーストン補正処理を施す。
【００３０】
本実施形態では、上記プロジェクタ１０がバッテリー１０８の電圧低下の状態を投影像を用いて報知する。
【００３１】
（メイン処理）
上述したプロジェクタ１０のＣＰＵ１０１によって行われるメイン処理の流れについて、図４のフローチャートを参照して説明する。図４による処理は、操作部材１０３を構成するメインスイッチがオン操作されると起動する。図４のステップＳ１において、ＣＰＵ１０１は電源回路１０７に指令を送り、ＬＥＤ光源１２３および液晶パネル１２２を除く各部へ通電を開始させてステップＳ２へ進む。
【００３２】
ステップＳ２において、ＣＰＵ１０１は光源オン（投影開始）操作されたか否かを判定する。ＣＰＵ１０１は、操作部材１０３を構成する光源オン／オフスイッチからのオン操作信号および開閉角度検出スイッチ１１０からのオン信号のうち、いずれかの信号が新たに入力されるとステップＳ２を肯定判定してステップＳ３へ進み、新たな信号が入力されない場合にはステップＳ２を否定判定し、ステップＳ１３へ進む。
【００３３】
ステップＳ３において、ＣＰＵ１０１は投射制御回路１２４へ指令を送り、ＬＥＤ光源１２３および液晶パネル１２２へ通電を開始させてステップＳ４へ進む。これにより、プロジェクタ１０から光束Ｂが射出され、スクリーン上に光像が投影される。
【００３４】
プロジェクタ１０は、以下の投影ソースから選択されたコンテンツを投影および再生するように構成されている。ＣＰＵ１０１は、操作部材１０３からの設定操作信号に応じて投影コンテンツを選択する。ＣＰＵ１０１は、選択したコンテンツのデータを投射制御回路１２４へ送信し、当該データによる光像を液晶パネル１２２上に形成させる。
【００３５】
ソース１．メモリカード２００から読出したデータによる画像および音声
ソース２．無線通信ユニット２１０で受信されたデータによる画像および音声
ソース３．外部インターフェイス１０６から入力されたデータによる画像および音声
ソース４．プロジェクタ１０の機能設定のための操作メニュー画像および音声
【００３６】
ステップＳ４において、ＣＰＵ１０１はプロジェクタ１０の姿勢チェックを行う。ＣＰＵ１０１は、姿勢センサ１３０からの姿勢検出信号に基づいてプロジェクタ１０が図１、図２(a)〜図２(c)のいずれの状態にされているかを判定してステップＳ５へ進む。
【００３７】
ステップＳ５において、ＣＰＵ１０１はプロジェクタ１０の姿勢が変更されているか否かを判定する。ＣＰＵ１０１は、ステップＳ４で判定した姿勢が前回の判定姿勢と異なる場合にステップＳ５を肯定判定してステップＳ６へ進み、前回の判定姿勢と合致する場合にはステップＳ５を否定判定し、ステップＳ７へ進む。
【００３８】
ステップＳ６において、ＣＰＵ１０１は投影画像を回転させる。ＣＰＵ１０１は、ステップＳ４で収容姿勢の状態（図１）、図２(b)もしくは図２(c)の状態を判定した場合、投影するコンテンツデータによる光像を通常の向きで液晶パネル１２２上に形成するように投射制御回路１２４へ指示する。
【００３９】
ＣＰＵ１０１は、ステップＳ４で図２(a)の状態を判定した場合、投射制御回路１２４へ指令を送り、投影される光像が通常の向きから１８０度回転するように液晶パネル１２２上の形成像を回転させる。
【００４０】
図４のステップＳ７において、ＣＰＵ１０１は投射像のオフセット処理を行ってステップＳ８へ進む。ＣＰＵ１０１は、投射制御回路１２４へ投影レンズ１２１をシフトさせる指示を送り、光束Ｂの一部がけられないようにする。投影レンズ１２１のシフト量を示すデータは、あらかじめＣＰＵ１０１内に記憶されている。ＣＰＵ１０１は、ステップＳ４でチェックしたプロジェクタ１０の状態に応じたシフト量のデータを読み出し、このデータとともにシフト指令を投射制御回路１２４へ送る。
【００４１】
ステップＳ８において、ＣＰＵ１０１は投射像のキーストン処理を行ってステップＳ９へ進む。ＣＰＵ１０１は、ステップＳ４でチェックしたプロジェクタ１０の状態に応じた初期補正値を読み出し、この補正値を用いて投影像のデータを補正した上で投射制御回路１２４へ送信する。
【００４２】
ステップＳ９において、ＣＰＵ１０１は、後述する電池チェック処理においてバッテリー１０８の放電状態を示す「電池小」もしくは「電池不足」が判定されているか否かを判定する。ＣＰＵ１０１は、「電池小」もしくは「電池不足」が判定されている場合にステップＳ９を肯定判定してステップＳ１０へ進み、「電池フル」もしくは「電池中」が判定されている場合にはステップＳ９を否定判定し、ステップＳ１１へ進む。
【００４３】
ステップＳ１０において、ＣＰＵ１０１は投射制御回路１２４へ指令を送り、投影される光像に電池アイコンの像を重ね合成させてステップＳ１１へ進む。具体的には、投影するコンテンツデータに電池アイコンのデータを合成し、合成後のデータを投射制御回路１２４へ送信することにより、電池アイコンが重ね合成された光像を液晶パネル１２２上に形成させる。
【００４４】
コンテンツ画像上で電池アイコンを合成する位置は、静止画像の場合に日時情報が重ねられている位置を避けて合成する。たとえば、横長画像の場合には画像の右下を避け、画像の左上に電池アイコンを重ねる。縦長画像の場合には画像の右上および左下を避け、画像の右下に電池アイコンを重ねる。
【００４５】
また、ＣＰＵ１０１は、合成する電池アイコンの色をコンテンツ画像の色と異なる色にする。ＣＰＵ１０１は、コンテンツ画像のうち電池アイコンを重ねる領域の色（電池アイコンの背景に相当する色）をチェックし、この背景色と異なる色を用いて電池アイコン像を生成し、生成した電池アイコンの像をコンテンツ画像に重ね合成する。
【００４６】
ステップＳ１１において、ＣＰＵ１０１は光源オフ（投影終了）操作されたか否かを判定する。ＣＰＵ１０１は、操作部材１０３を構成する光源オン／オフスイッチからのオフ操作信号および開閉角度検出スイッチ１１０からオフ信号のうち、いずれかの信号が新たに入力されるとステップＳ１１を肯定判定してステップＳ１２へ進み、新たな信号が入力されない場合にはステップＳ１１を否定判定し、ステップＳ４へ戻る。ステップＳ４へ戻る場合は、姿勢およびバッテリー１０８の残量状態をチェックしながら投影が継続される。
【００４７】
ステップＳ１２において、ＣＰＵ１０１は投射制御回路１２４へ指令を送り、ＬＥＤ光源１２３および液晶パネル１２２への通電を停止させてステップＳ１３へ進む。これにより、プロジェクタ１０からの光像が投影されなくなる。なお、ＣＰＵ１０１をはじめとしてメモリ１０２やメモリカード２００、無線通信ユニット２１０、外部インターフェイス１０６などの各回路への通電を継続するため、投影コンテンツが上記ソース１．の場合はメモリ１０２上にメモリカード２００の情報、およびメモリカード２００から読み込んだデータが保存されている。同様に、投影コンテンツが上記ソース２．の場合は無線通信ユニット２１０と外部機器との通信が継続され、メモリ１０２上に無線通信ユニット２１０によって受信されたデータが保存されている。また、投影コンテンツが上記ソース３．の場合は外部インターフェイス１０６と外部機器との通信が継続され、メモリ１０２上に外部インターフェイス１０６によって受信されたデータが保存されている。
【００４８】
ステップＳ１３において、操作部材１０３を構成するメインスイッチがオフ操作されたかを判定する。ＣＰＵ１０１は、オフ操作信号が入力されるとステップＳ１３を肯定判定し、電源オフ処理を行って各部への通電を終了し、図４による処理を終了する。一方ＣＰＵ１０１は、オフ操作信号が入力されない場合にはステップＳ１３を否定判定してステップＳ２へ戻る。
【００４９】
ステップＳ２へ戻った後に光源オン操作が行われる場合は、メモリ１０２に保存されているデータを用いてただちに投影が再開される。
【００５０】
（スライドショー処理）
スライドショー処理は、上述したメイン処理による投影中（ステップＳ３〜ステップＳ１１）において、上記ソース１．の投影コンテンツが選択され、かつ操作部材１０３からスライドショー投影を指示する操作信号がＣＰＵ１０１へ入力されると起動する。図５は、スライドショー処理を説明するフローチャートである。
【００５１】
図５のステップＳ２１において、ＣＰＵ１０１はLUT（ルックアップテーブル）からバッテリー１０８の残容量データＡ・ｈを読出してステップＳ２２へ進む。LUTは、あらかじめバッテリー１０８の電圧と残容量との関係が実測され、テーブル化されてＣＰＵ１０１内の不揮発性メモリ（不図示）に記憶されたものである。ＣＰＵ１０１は、後述する電池チェック処理において検出されているバッテリー１０８の電圧値を引数にして、LUTから残容量データＡ・ｈを読出す。
【００５２】
ステップＳ２２において、ＣＰＵ１０１はＲ＝(Ａ・ｈ)／Ｉnを算出することにより、投影可能時間Ｒを推定する。ここで、電流Ｉnは直近の所定時間（たとえば、１０秒間）の消費電流の平均値であり、電流情報として電源回路１０７からＣＰＵ１０１へ送信される。ＣＰＵ１０１は、投影可能時間Ｒを推定するとステップＳ２３へ進む。
【００５３】
ステップＳ２３において、ＣＰＵ１０１は、(コマ数×１コマ当たりの標準投影時間ｔn)≦推定投影可能時間Ｒが成立するか否かを判定する。コマ数は、スライドショー投影で投影が指示されている画像の数である。コマ数は、操作部材１０３からの操作信号によって指示される。ＣＰＵ１０１は、上式が成立する場合にステップＳ２３を肯定判定してステップＳ２７へ進み、上式が成立しない場合にはステップＳ２３を否定判定してステップＳ２４へ進む。ステップＳ２４へ進む場合は、スライドショー投影の途中でバッテリー１０８の残容量不足が見込まれる場合である。ステップＳ２７へ進む場合は、スライドショー投影するために必要なバッテリー１０８の残容量が確保されている場合である。ステップＳ２７へ進む場合のＣＰＵ１０１は、投射制御回路１２４へ指令を送り、ＬＥＤ光源１２３へ供給している現在の電流値を維持させる。
【００５４】
ステップＳ２４において、ＣＰＵ１０１はＲs＝(Ａ・ｈ)／Ｉsを算出することにより、消費電流セーブ時の投影可能時間Ｒsを推定する。ここで、電流Ｉsは電流セーブ時の消費電流であり、たとえば、上述した直近の消費電流Ｉnの７０％とする。ＣＰＵ１０１は、投影可能時間Ｒsを推定するとステップＳ２５へ進む。
【００５５】
ステップＳ２５において、ＣＰＵ１０１は、(コマ数×１コマ当たりの標準投影時間ｔn)≦推定投影可能時間Ｒsが成立するか否かを判定する。ＣＰＵ１０１は、上式が成立する場合にステップＳ２５を肯定判定してステップＳ２７へ進み、上式が成立しない場合にはステップＳ２５を否定判定してステップＳ２６へ進む。ステップＳ２６へ進む場合は、消費電流をセーブしてもスライドショー投影の途中でバッテリー１０８の残容量不足が見込まれる場合である。ステップＳ２７へ進む場合は、消費電流をセーブすればバッテリー１０８の残容量がスライドショー投影に足りる場合である。ステップＳ２７へ進む場合のＣＰＵ１０１は、投射制御回路１２４へ指令を送り、消費電流が直近の消費電流Ｉnの７０％に減少するように、ＬＥＤ光源１２３へ供給する電流値を減少させる。ＣＰＵ１０１はさらに、投射制御回路１２４へ指令を送り、ＬＥＤ光源１２３へ供給する電流の削減による投影輝度の低下を補う方向に、ガンマ補正などの画像処理を行わせる。
【００５６】
ステップＳ２６において、ＣＰＵ１０１は、１コマ当たりの短縮投影時間ｔs＝Ｒs／コマ数を算出する。ＣＰＵ１０１はさらに、スライドショー投影する場合の１コマ当たりの投影時間を標準投影時間ｔnから短縮投影時間ｔsへ変更するとともに、消費電流が直近の消費電流Ｉnの７０％に減少するように、ＬＥＤ光源１２３へ供給する電流値を減少させてステップＳ２７へ進む。ＬＥＤ光源１２３へ供給する電流の削減による投影輝度の低下を補う方向にガンマ補正などの画像処理を行わせる点は、上記ステップＳ２５を肯定判定する場合と同様である。
【００５７】
ステップＳ２７において、ＣＰＵ１０１は、画像データをメモリカード２００から読出すとともに、投射制御回路１２４へ投影表示用データを送出して再生画像の投影を指示し、ステップＳ２８へ進む。これにより、プロジェクタ１０から再生画像が投影される。
【００５８】
ステップＳ２８において、ＣＰＵ１０１は、タイムアップしたか否かを判定する。ＣＰＵ１０１は、上記標準投影時間ｔn（ステップＳ２６を経由した場合は短縮投影時間ｔs）が経過した場合にステップＳ２８を肯定判定してステップＳ２９へ進み、タイムアップしていない場合にはステップＳ２８を否定判定して当該判定処理を繰り返す。
【００５９】
ステップＳ２９において、ＣＰＵ１０１は、全コマについて投影を終了したか否かを判定する。ＣＰＵ１０１は、スライドショー投影が指示されている全てのコマの画像について投影を終了した場合にステップＳ２９を肯定判定して図５によるスライドショー処理を終了する。ＣＰＵ１０１は、全コマについての投影が終了していない場合にはステップＳ２９を否定判定し、ステップＳ３０へ進む。
【００６０】
ステップＳ３０において、ＣＰＵ１０１は中止操作が行われたか否かを判定する。ＣＰＵ１０１は、操作部材１０３からスライドショー投影を中止する操作信号が入力された場合にステップＳ３０を肯定判定して図５によるスライドショー処理を終了する。ＣＰＵ１０１は、操作部材１０３からスライドショー投影を中止する操作信号が入力されない場合には、ステップＳ３０を否定判定してステップＳ２７へ戻る。ステップＳ２７へ戻る場合のＣＰＵ１０１は、次のコマの画像データをメモリカード２００から読出すとともに、投射制御回路１２４へ投影表示用データを送出して再生画像の投影を指示し、ステップＳ２８へ進む。これにより、プロジェクタ１０から次のコマの再生画像が投影される。
【００６１】
（電池チェック処理）
バッテリー１０８の放電状態を検出する電池チェック処理の詳細について、図６のフローチャートを参照して説明する。図６による電池チェック処理は、図４（メイン処理）および図５（スライドショー処理）のいずれの処理を実行中でも割り込み処理として所定時間ごとに起動される。
【００６２】
図６のステップＳ５１において、ＣＰＵ１０１はバッテリー１０８の電圧チェックを行ってステップＳ５２へ進む。電圧チェックは電源回路１０７で検出された検出信号を入力して行う。
【００６３】
ステップＳ５２において、ＣＰＵ１０１は、バッテリー１０８の電圧がたとえば３．５Ｖ以上か否かを判定する。ＣＰＵ１０１は、３．５Ｖ以上の電圧が検出されている場合にステップＳ５２を肯定判定してステップＳ５３へ進み、検出電圧が３．５Ｖ未満の場合にはステップＳ５２を否定判定し、ステップＳ５４へ進む。
【００６４】
ステップＳ５３において、ＣＰＵ１０１はバッテリー１０８がフル充電されている（一次電池の場合は放電率が略０％）と判定し、「電池フル」を示す電池アイコン（セグメントを３つ全て点灯）を決定して図６による処理を終了する。「電池フル」を示す電池アイコンは、本実施形態では特に使用しない。
【００６５】
ステップＳ５４において、ＣＰＵ１０１は、バッテリー１０８の電圧が３．０Ｖ以上３．５Ｖ未満か否かを判定する。ＣＰＵ１０１は、３．０〜３．５Ｖの電圧が検出されている場合にステップＳ５４を肯定判定してステップＳ５５へ進み、検出電圧が３．０Ｖ未満の場合にはステップＳ５４を否定判定し、ステップＳ５６へ進む。
【００６６】
ステップＳ５５において、ＣＰＵ１０１はバッテリー１０８の充電率が中（一次電池の場合は放電率が約５０％）と判定し、「電池中」を示す電池アイコン（セグメントを２つ点灯、１つ消灯）を決定して図６による処理を終了する。「電池中」を示す電池アイコンは、本実施形態では特に使用しない。
【００６７】
ステップＳ５６において、ＣＰＵ１０１は、バッテリー１０８の電圧が２．７Ｖ以上３．０Ｖ未満か否かを判定する。ＣＰＵ１０１は、２．７〜３．０Ｖの電圧が検出されている場合にステップＳ５６を肯定判定してステップＳ５７へ進み、検出電圧が２．７Ｖ未満の場合にはステップＳ５６を否定判定し、ステップＳ５８へ進む。
【００６８】
ステップＳ５７において、ＣＰＵ１０１はバッテリー１０８の充電率が小（一次電池の場合は放電率が約７０％）と判定し、「電池小」を示す電池アイコン（セグメントを１つ点灯、２つ消灯）を決定して図６による処理を終了する。「電池小」を示す電池アイコンは、図４のステップＳ１０において使用される。
【００６９】
ステップＳ５８において、ＣＰＵ１０１は、バッテリー１０８の電圧が２．５Ｖ以上２．７Ｖ未満か否かを判定する。ＣＰＵ１０１は、２．５〜２．７Ｖの電圧が検出されている場合にステップＳ５８を肯定判定してステップＳ５９へ進み、検出電圧が２．５Ｖ未満の場合にはステップＳ５８を否定判定し、ステップＳ６０へ進む。
【００７０】
ステップＳ５９において、ＣＰＵ１０１はバッテリー１０８の充電率がきわめて少ない（一次電池の場合は放電率が約９０％）と判定し、「電池不足」を示す電池アイコン（セグメントを３つ全て消灯し、枠を点滅）を決定して図６による処理を終了する。「電池不足」を示す電池アイコンは、図４のステップＳ１０において使用される。
【００７１】
ステップＳ６０へ進む場合は、バッテリー１０８の電圧がプロジェクタ１０内の各部を作動させるために必要な電圧に満たない（残容量が不足している）状態である。ステップＳ６０において、ＣＰＵ１０１はスライドショー投影中か否かを判定する。ＣＰＵ１０１は、図５のスライドショー処理を実行中の場合にステップＳ６０を肯定判定してステップＳ６１へ進み、図５のスライドショー処理を実行中でない場合にはステップＳ６０を否定判定してステップＳ６２へ進む。
【００７２】
ステップＳ６１へ進む場合は、図５において推定した投影可能時間Ｒ（もしくはＲs）より短い時間でバッテリー１０８の電圧が低下した場合である。ステップＳ６１において、ＣＰＵ１０１は、バッテリー１０８が他の充電済みバッテリーと交換（もしくはバッテリー１０８そのものが充電）され、スライドショー投影の開始が指示された場合に次回投影するコマを示す情報（たとえば、画像データファイルの名称）、およびスライドショー処理において未投影のコマを示す情報をＣＰＵ１０１内の不揮発性メモリに記憶してステップＳ６２へ進む。
【００７３】
ステップＳ６２において、ＣＰＵ１０１は、電源オフ処理を行って各部への通電を終了し、図６による処理を終了する。これにより、バッテリー１０８の電圧が不足してＣＰＵ１０１が動作不能に陥る前に、必要な情報を格納してから電源オフ処理を行える。
【００７４】
以上説明した実施形態によれば、次の作用効果が得られる。
（１）プロジェクタ１０はバッテリー１０８の電圧を所定時間ごとにチェックし、バッテリー１０８の放電状態が「電池小」および「電池不足」のいずれかになるとバッテリー１０８の放電状態を示す電池アイコン（電池情報）を投影像に重ね合成するようにした（ステップＳ９、Ｓ１０）。これにより、バッテリー１０８の放電状態を示す電池アイコンが常に投影像に重ねられる場合に比べて、投影内容が分かりやすい。
【００７５】
（２）投影するコンテンツ画像上で電池アイコンを重ね合成する位置は、静止画像の場合に日時情報が重ねられている位置を避けたので、電池アイコンが日時情報に被って日時情報がわかりにくくなることを防止できる。
【００７６】
（３）上記（２）に加えて、電池アイコンの色をコンテンツ画像の色（電池アイコンを重ねる領域の色）と異ならせたので、電池アイコンが背景色に吸収されてわかりにくくなることを防止できる。
【００７７】
（４）「電池不足」の場合に電池アイコンを点滅させたので、容量低下の状態を強く報知することができる。
【００７８】
（５）スライドショー投影が指示されると、検出されているバッテリー１０８の電圧に基づいて投影可能時間Ｒを推定し（ステップＳ２２）、この投影可能時間Ｒよりスライドショー投影の所要時間が長い場合（ステップＳ２３を否定判定）にバッテリー１０８からの消費電流をＩnからＩsへ３０％セーブするようにした（ステップＳ２４）。これにより、スライドショー投影の途中でバッテリー１０８の残容量が不足しないようにすることができる。
【００７９】
（６）セーブ時の消費電流Ｉsに基づいて投影可能時間Ｒsを再度推定し（ステップＳ２４）、この投影可能時間Ｒsよりスライドショー投影の所要時間が長い場合（ステップＳ２５を否定判定）に１コマ当たりの投影時間をｔnからｔsへ短縮する（ステップＳ２６）ことによってスライドショー投影の所要時間を投影可能時間Ｒsに収めるようにした。これにより、スライドショー投影の途中でバッテリー１０８の残容量が不足しないようにすることができる。
【００８０】
（７）消費電流をＩnからＩsへ３０％セーブするようにＬＥＤ光源１２３へ供給する電流値を削減する場合、電流削減による投影輝度の低下を補う方向にガンマ補正などの画像処理を行わせる（ステップＳ２５、Ｓ２６）ので、画像処理をしない場合に比べて投影輝度の低下の影響を抑えることができる。
【００８１】
（８）バッテリー１０８の電圧が２．５Ｖに満たなくなった場合（ステップＳ５８を否定判定）に自動的に電源オフする（ステップＳ６２）ようにしたので、バッテリー１０８の電圧が不足してＣＰＵ１０１が動作不能に陥る前に、すみやかに電源オフ処理を行える。
【００８２】
（９）上記（８）がスライドショー投影の途中の場合には、次回投影するコマ情報（たとえば、画像データファイルの名称）や、スライドショー投影において未投影のコマ情報をＣＰＵ１０１内の不揮発性メモリに記憶してから電源オフ処理を行う（ステップＳ６１、Ｓ６２）ので、バッテリー１０８が他の充電済みバッテリーと交換（もしくはバッテリー１０８そのものが充電）された場合に、スライドショー投影を再開することができる。
【００８３】
上述したバッテリー１０８の電圧値は一例であるので、電圧判定基準は使用されるバッテリー１０８の種類に応じて適宜変更してよい。
【００８４】
スライドショー処理においてスライドショー投影する画像についても電池アイコンを重ね合成するように構成してよい。
【００８５】
上述した説明では、スライドショー投影の途中にバッテリー１０８の電圧が必要電圧（２．５Ｖ）に満たなくなった場合にのみ、次回投影するコマ情報などを不揮発性メモリに記憶して電源オフ処理を行うようにしたが、情報記憶を電源オフ処理時に必ず行うように構成してもよい。この場合のＣＰＵ１０１は、 操作部材１０３を構成するメインスイッチからオフ操作信号が入力される場合にも、次回投影するコマ情報などを不揮発性メモリに記憶し、その後電源オフ処理を行う。
【００８６】
（変形例１）
上記実施形態では、バッテリー１０８の放電状態が「電池小」および「電池不足」のいずれかになるとバッテリー１０８の状態を示す電池アイコンを投影像に重ね合成するようにしたが、放電状態が「電池中」になった時点で電池アイコンを重ね合成してもよいし、放電状態が「電池不足」になった時点で電池アイコンを重ね合成してもよい。
【００８７】
（変形例２）
電池アイコンを重ね合成する代わりに、投影するコンテンツ画像そのものの投影輝度を低下させてもよい。投影輝度の低下は、ＬＥＤ光源１２３へ供給する電流値を減少させることによって行う。電池アイコンがコンテンツ画像に被らないので、投影内容が分かりやすい。
【００８８】
（変形例３）
変形例２のように、電池アイコンを重ね合成する代わりに投影するコンテンツ画像の投影輝度を低下させる場合、投影輝度の低下状態と通常状態とを交互に切替えてコンテンツ画像を「ブリンク表示」させてもよい。「ブリンク表示」によってバッテリー１０８の電圧低下を強く報知することができる。
【００８９】
（変形例４）
また、コンテンツ画像に電池アイコンを重ね合成したり、コンテンツ画像の投影輝度を低下させる代わりに、投影するコンテンツ画像そのものの色をカラー画像からモノクロ画像へ変化させてもよい。カラー画像に代えてモノクロ画像を投影することで、バッテリー１０８の電圧低下を確実に報知することができる。さらに、電池アイコンがコンテンツ画像に被らないので、投影内容が分かりやすい。
【００９０】
（変形例５）
投影するコンテンツ画像そのものの大きさを変えてもよい。この場合には、バッテリー１０８の放電状態が「電池小」および「電池不足」のいずれかになると、投影するコンテンツ画像の大きさを、たとえば１割小さく縮小投影させる。縮小投影によって余る投影領域には、電池アイコンやバッテリー１０８の電圧低下を報知するメッセージを投影する。このように構成する場合にも電池アイコンやメッセージがコンテンツ画像に被らないので、投影内容が分かりやすい。
【００９１】
プロジェクタ１０が制御部１と投射部２とに分離されている構成例を説明したが、制御部１と投射部２とが１筐体で構成される構成でも構わない。
【００９２】
上述した説明では、メモリカード２００に記録されている静止画像をスライドショー投影する場合に、スライドショー投影の途中でバッテリー１０８の残容量が不足しないようにする例を説明したが、動画像を投影する場合も同様に行うことができる。この場合のＣＰＵ１０１は、動画像ファイルに含まれている再生時間の情報を利用して、この再生時間がバッテリー１０８の検出電圧に基づいて推定される投影可能時間に収まるように、消費電流をセーブ（ＬＥＤ光源１２３へ供給する電流値を減少させる）すればよい。
【００９３】
以上の説明において、液晶パネル１２２を用いて光像形成素子を構成し、液晶パネル１２２による像をＬＥＤ光源１２３の光で照明して光像を得る場合を説明したが、自発光式の光像形成素子を用いて構成してもよい。この場合の光源は光像形成素子によって構成される。光像形成素子は、画素に対応する点光源を画像信号に応じて画素ごとに発光させることにより、光像を形成する。
【００９４】
電池駆動されるプロジェクタ１０を例に説明したが、電池駆動されるプロジェクタ付き電子機器であれば、たとえば、プロジェクタ付き携帯電話機、プロジェクタ付きカメラなどにも本発明を適用できる。
【００９５】
以上の説明はあくまで一例であり、発明を解釈する上で、上記の実施形態の構成要素と本発明の構成要素との対応関係に何ら限定されるものではない。
【図面の簡単な説明】
【００９６】
【図１】本発明の実施形態によるプロジェクタの三面図であり、図１(a)は左側面図、図１(b)は平面図、図１(c)は正面図である。
【図２】図２(a)は相対角θ＝９０度まで回動させた図、図２(b)は相対角θ＝１８０度まで回動させた図、図２(c)は相対角θ＝２７０度まで回動させた図である。
【図３】プロジェクタの回路構成を説明するブロック図である。
【図４】ＣＰＵによって行われるメイン処理の流れを説明するフローチャートである。
【図５】スライドショー処理の流れを説明するフローチャートである。
【図６】電池チェック処理の流れを説明するフローチャートである。
【符号の説明】
【００９７】
１…制御部
２…投射部
３…ヒンジ部
１０…プロジェクタ
１０１…ＣＰＵ
１０３…操作部材
１０７…電源回路
１０８…バッテリー
１２４…投射制御回路
Ｂ…光束
【図１】
2007078807.tif 000003
【図２】
2007078807.tif 000004
【図３】
2007078807.tif 000005
【図４】
2007078807.tif 000006
【図５】
2007078807.tif 000007
【図６】
2007078807.tif 000008